(57)【要約】【課題】水質計が着水したことを確認することが容易な水質計着水確認装置を提供する。【解決手段】確認装置１０は、ペリスコープ１、支持装置２、及び、巻回装置３を備える。ペリスコープ１は、接眼鏡筒１１と対物鏡筒１２を備え、接眼鏡筒１１に対して対物鏡筒１２を直交配置している。接眼鏡筒１１は、接眼窓１１ｗを一端部に設け、対物鏡筒１２は、対物窓１２ｗを他端部に設けている。ペリスコープ１は、接眼窓１１ｗから水質計Ｍｗを確認できる。支持装置２は、接眼鏡筒１１を略水平状態に地上で支持できる。巻回装置３は、対物鏡筒１２の外面に沿って、水質計Ｍｗを昇降自在に、ケーブルＣｂを巻回できる。対物鏡筒１２は、水面Ｗｆに向かって伸縮自在な、複数のテレスコピック筒１２１・１２２・１２３で構成しているので、接眼窓１１ｗから水質計Ｍｗが着水したことを容易に確認できる。【選択図】図３
2020134482.tif 000002
【特許請求の範囲】
【請求項１】
地上から遠方の水面に向かって、長尺のケーブルを接続した水質計を垂下し、前記水質計が着水したことを確認するための水質計着水確認装置であって、
接眼窓を一端部に設けた接眼鏡筒、及び、前記接眼鏡筒と屈曲し、対物窓を他端部に設けた対物鏡筒を有し、前記対物窓からの光路を複数回反射して前記接眼窓から前記水質計を確認できるペリスコープと、
前記対物鏡筒の他端部が水面に向かって配置可能に、前記接眼鏡筒を略水平状態に地上で支持する支持装置と、
前記対物鏡筒の外面に沿って、前記水質計を昇降自在に、前記ケーブルを巻回する巻回装置と、を備え、
前記対物鏡筒は、水面に向かって伸縮自在な、外径の異なる複数のテレスコピック筒で構成している、水質計着水確認装置。
【請求項２】
前記対物鏡筒は、複数の前記テレスコピック筒の外周を囲うと共に、複数の前記テレスコピック筒が延びる方向に力を付勢する円筒状のベローズ部材を更に備えている、請求項１記載の水質計着水確認装置。
【請求項３】
前記対物鏡筒の他端部にワイヤの一端部を係留し、前記ワイヤの他端部側を巻回して、複数の前記テレスコピック筒を収縮させる巻き上げ装置を更に備えている、請求項１又は２記載の水質計着水確認装置。
【請求項４】
前記ペリスコープは、前記対物鏡筒に対して、前記接眼鏡筒を折り畳み自在に連結している、請求項１から３のいずれかに記載の水質計着水確認装置。
【請求項５】
前記支持装置は、地上に設置した柵状物に着脱自在に締め付けできる締め付け装置を備えている、請求項１から４のいずれかに記載の水質計着水確認装置。
【発明の詳細な説明】
【技術分野】
【０００１】
本発明は、水質計着水確認装置に関する。特に、河川などの水質を地上から測定するために、水質計を構成するセンサ部が着水したこと確認することが容易な水質計着水確認装置の構造に関する。
【背景技術】
【０００２】
水質計は、河川などの物理的、化学的及び生物的な水質を測定できる。例えば、水質計を構成するセンサ部を地上から水に浸漬することで、河川などの水質を現地調査できる。河川などの水質を地上から連続して測定する場合には（いわゆる定点観測では）、センサ部を水に長期間浸漬しているので、センサ部の検出面に汚れが付着して測定精度が低減することがある。又、センサ部の感度は、経年変化するため、標準液を用いて、定期的に校正する必要があった。
【０００３】
水質計のセンサ部を水に長期間浸漬すると、前述したような不具合があるので、水質計のセンサ部を下端部に配置した円筒状のホルダを引き上げて、センサ部をバスケットに収容し、バスケットに洗浄液又は校正用標準液を供給して、センサ部を洗浄又は校正する水質測定装置が開示されている（例えば、特許文献１参照）。
【０００４】
しかし、湖沼や海洋の水質を測定する場合には、水面からの深い地点で水質を測定している。この場合に、特許文献１に開示されたように、円筒状のホルダを引き上げて装置を採用すれば、大がかりな引き上げ用の駆動シリンダが必要となる。又、引き上げに要する時間が長くなることから欠測時間が長くなるという不具合があった。
【０００５】
特許文献１による水質測定装置は、前述したような不具合があるので、深い地点を測定する場合でも、欠測時間を短縮できる水質測定装置が開示されている（例えば、特許文献２参照）。
【先行技術文献】
【特許文献】
【０００６】
【特許文献１】特開平９−２６９３１１号公報
【特許文献２】特開２００７−１７８３９４号公報
【発明の概要】
【発明が解決しようとする課題】
【０００７】
図５は、従来技術による水質測定装置の構成を示す側面図であり、円筒状のホルダの下端部にセンサモジュールを配置した状態図である。図６は、従来技術による水質測定装置の構成を示す側面図であり、円筒状のホルダからセンサモジュールを引き上げた状態図である。図７は、従来技術による水質測定装置の構成を示す側面図であり、円筒状のホルダから引き上げたセンサモジュールを地上側に旋回した状態図である。
【０００８】
図８は、従来技術による水質測定装置の構成を示す縦断面図であり、水質測定装置に備わるセンサモジュール及び円筒状のホルダの拡大図である。なお、本願の図５から図８は、特許文献２の図１から図４に相当している。
【０００９】
図５から図８を参照すると、従来技術による水質測定装置９は、センサモジュール９１と測定部９２を備えている。又、水質測定装置９は、支持台９３と操作・制御部９４を備えている。
【００１０】
図５又は図８を参照すると、センサモジュール９１には、ケーブル９１ｃの一端部が電気的に接続されている。図５又は図６を参照すると、ケーブル９１ｃの他端部は、操作・制御部９４と電気的に接続している。測定部９２は、円筒状のホルダ９２ｈの下端部に設置されている（図５から図８参照）。
【００１１】
図５から図７を参照すると、支持台９３は、河川又は湖沼を保護する護岸Ｗｒに設置されている。支持台９３は、スタンド９３ａ、第１支持部材９３ｂ、及び、一組の第２支持部材９３ｃ・９３ｃを備えている。
【００１２】
図５から図７を参照すると、スタンド９３ａは、起立状態で護岸Ｗｒに固定されている。第１支持部材９３ｂは、スタンド９３ａの上部に片持ち状に取り付けられている。又、第１支持部材９３ｂは、水平方向に旋回自在に、基端部がスタンド９３ａと連結している。一組の第２支持部材９３ｃ・９３ｃは、スタンド９３ａの下部に片持ち状に固定されている。又、一組の第２支持部材９３ｃ・９３ｃは、ホルダ９２ｈが河川又は湖沼の水面下まで延びるように、ホルダ９２ｈの上部側を支持している。
【００１３】
又、図５から図７を参照すると、支持台９３は、定滑車９３１、動滑車９３２、及び、巻き上げ装置９３３を備えている。定滑車９３１は、第１支持部材９３ｂの先端部に取り付けられている。定滑車９３１には、ケーブル９１ｃが巻き掛けされている。ケーブル９１ｃは、動滑車９３２を経由して、操作・制御部９４に係留している。
【００１４】
又、図５又は図６を参照すると、定滑車９３１には、ワイヤ９３ｗが巻き掛けされている。ワイヤ９３ｗは、巻き上げ装置９３３に接続している。巻き上げ装置９３３を一方の方向に駆動すると、定滑車９３１を一方の方向に回転でき、センサモジュール９１をホルダ９２ｈから吊り上げることができる（図６参照）。巻き上げ装置９３３を他方の方向に駆動すると、定滑車９３１を他方の方向に回転でき、センサモジュール９１をその自重でホルダ９２ｈの下方に移動できる（図５参照）。なお、巻き上げ装置９３３は、操作・制御部９４の指令により動作が制御されている。
【００１５】
図５又は図６を参照すると、操作・制御部９４は、ケーブル９１ｃを介して、センサモジュール９１と電気的に接続している。そして、操作・制御部９４は、ケーブル９１ｃを介して、センサモジュール９１に測定の開始を指示でき、センサモジュール９１から測定結果などのデータを受信できる。
【００１６】
図５又は図６を参照すると、巻き上げ装置９３３を制御することで、センサモジュール９１は、ホルダ９２ｈの上端９２１からホルダ９２ｈに出し入れできる。又、巻き上げ装置９３３を制御することで、センサモジュール９１は、ホルダ９２ｈの中部を昇降できる。更に、巻き上げ装置９３３を制御することで、センサモジュール９１を任意の位置で水中Ｗへ浸漬状態で保持できる。
【００１７】
図７を参照して、スタンド９３ａを中心に第１支持部材９３ｂを旋回すると、センサモジュール９１を河川・湖沼から護岸Ｗｒに移できる。これにより、センサモジュール９１を地上側で容易に保守できる。なお、第１支持部材９３ｂの旋回動作に伴って、ケーブル９１ｃが損傷することを防止するために、一方の第２支持部材９３ｃには、ケーブル保持具９３ｍを配設している。
【００１８】
図８を参照すると、センサモジュール９１は、円筒状の本体部９１１と架橋部材９１２を備えている。又、センサモジュール９１は、円柱状の仕切り部材９１３とセンサ部９１４を備えている。本体部９１１は、その上面にケーブル９１ｃを接続している。架橋部材９１２は、本体部９１１と仕切り部材９２３を架橋している。仕切り部材９１３は、その外径が本体部９１１の外径と略同じであり、センサ部９１４と対向配置されている。センサ部９１４は、仕切り部材９１３に向って突出している。
【００１９】
図５又は図８を参照して、ホルダ９２ｈを介して、センサモジュール９１を水中Ｗに浸漬すると、センサ部９１４は、河川又は湖沼などの水質を測定できる。
【００２０】
図８を参照すると、センサモジュール９１は、多項目水質計と呼ばれるもので、センサ部９１４は、温度センサ、ｐＨ電極、電気伝導率セル、濁度セル、ＤＯ電極などを含んでいる。センサ部９１４は、これらのセンサ類が本体部に一体化されている。温度センサは、水温を測定できる。ｐＨ電極は、検水のｐＨを測定できる。電気伝導率セルは、検水の電気導電率を測定できる。濁度セルは、検水の濁度を測定できる。ＤＯ電極は、検水の溶存酸素を測定できる。
【００２１】
図８を参照すると、ホルダ９２ｈの下部に形成され、保護筒部９２ｐと校正筒部９２ｔ２に区分されている。保護筒部９２ｐは、センサ部９１４の周囲を覆うことで、センサ部９１４を保護できる。校正筒部９２ｔには、校正液を導入できる。
【００２２】
図８を参照すると、校正筒部９２ｔは、内部に向って伸縮自在な円環状の第１チューブ９２ａと内部に向って伸縮自在な円環状の第２チューブ９２ｂを備えている。第１チューブ９２ａは、校正筒部９２ｔの上部に配置されている。第２チューブ９２ｂは、校正筒部９２ｔの下部に配置されている。又、校正筒部９２ｔには、複数のレベルセンサ９２ｓを取り付けている。複数のレベルセンサ９２ｓは、校正筒部９２ｔの内部が液相状態であるか気相状態であるかを検出できる。
【００２３】
図８を参照して、本体部９１１の下部が第１チューブ９２ａに対向すると共に、仕切り部材９１３が第２チューブ９２ｂに対向するように、センサモジュール９１を引き上げた状態で、第１チューブ９２ａ及び第２チューブ９２ｂにエアを供給すると、第１チューブ９２ａ及び第２チューブ９２ｂが膨張することで、校正筒部９２ｔの内部にセンサ部９１４を密閉できる。
【００２４】
図８を参照して、最初に、第１チューブ９２ａを膨張させると共に、第２チューブ９２ｂを収縮させた状態で、校正筒部９２ｔの下部からエアを供給すると、校正筒部９２ｔの内部を気相状態にできる。次に、第２チューブ９２ｂを膨張させることで、校正筒部９２ｔの内部を被測定水から隔離した校正室として利用できる。又、水質測定装置９は、センサ部９１４の検出面に向って、洗浄液を噴射することで、水中でセンサ部９１４の検出面の汚れを除去できる。
【００２５】
このように、特許文献２による水質測定装置９は、校正用の空間を容易かつ簡易な構成で形成でき、又、深い地点を測定する場合でも欠測時間を短縮化できる、としている。
【００２６】
ところで、定点観測以外では、ケーブル付きの多項目水質計を用いて、地上から河川などに向けて、多項目水質計を水中に浸漬することで、河川などの水質を現地調査している。この場合、水深「０（零）」点での観測では、センサ部の検出面が水面に着水したことを目視で確認している。
【００２７】
しかし、橋などから河川の水面に向けて、多項目水質計を垂下すると、橋から河川の水面までの距離が長く、センサ部の検出面が水面に着水したことを目視で確認することが困難であるという問題があった。又、橋に設置された欄干を介して、ケーブルを吊り下げると、ケーブルを送り出し又引き上げるとき、多項目水質計は相当の重量があるので、ケーブルが欄干に干渉して、ケーブルが損傷する心配があった。
【００２８】
河川などの水質を測定するセンサ部の検出面が水面に着水したことを確認することが容易な水質計着水確認装置が求められている。又、ケーブルに過剰な負荷を生ずることなく、欄干などの柵状部材と干渉しない水質計着水確認装置が求められている。そして、以上のことが本発明の課題をいってよい。
【００２９】
本発明は、このような課題に鑑みてなされたものであり、河川などの水質を測定する水質計のセンサ部の検出面が水面に着水したことを確認することが容易な水質計着水確認装置を提供することを目的とする。
【課題を解決するための手段】
【００３０】
本発明者らは、地上から遠方の水面に向かって、長尺のケーブルを接続した水質計を垂下すると共に、ペリスコープ（潜望鏡）を用いて、水質計が着水したことを地上から容易に確認できると考え、これに基づいて、以下のような新たな水質計着水確認装置を発明するに至った。
【００３１】
（１）本発明による水質計着水確認装置は、地上から遠方の水面に向かって、長尺のケーブルを接続した水質計を垂下し、前記水質計が着水したことを確認するための水質計着水確認装置であって、接眼窓を一端部に設けた接眼鏡筒、及び、前記接眼鏡筒と屈曲し、対物窓を他端部に設けた対物鏡筒を有し、前記対物窓からの光路を複数回反射して前記接眼窓から前記水質計を確認できるペリスコープと、前記対物鏡筒の他端部が水面に向かって配置可能に、前記接眼鏡筒を略水平状態に地上で支持する支持装置と、前記対物鏡筒の外面に沿って、前記水質計を昇降自在に、前記ケーブルを巻回する巻回装置と、を備え、前記対物鏡筒は、水面に向かって伸縮自在な、外径の異なる複数のテレスコピック筒で構成している。
【００３２】
（２）前記対物鏡筒は、複数の前記テレスコピック筒の外周を囲うと共に、複数の前記テレスコピック筒が延びる方向に力を付勢する円筒状のベローズ部材を更に備えていることが好ましい。
【００３３】
（３）本発明による水質計着水確認装置は、前記対物鏡筒の他端部にワイヤの一端部を係留し、前記ワイヤの他端部側を巻回して、複数の前記テレスコピック筒を収縮させる巻き上げ装置を更に備えていることが好ましい。
【００３４】
（４）前記ペリスコープは、前記対物鏡筒に対して、前記接眼鏡筒を折り畳み自在に連結していることが好ましい。
【００３５】
（５）前記支持装置は、地上に設置した柵状物に着脱自在に締め付けできる締め付け装置を備えていることが好ましい。
【発明の効果】
【００３６】
本発明による水質計着水確認装置は、接眼鏡筒と接眼鏡筒から屈曲した対物鏡筒で構成したペリスコープを備えているので、接眼窓から水質計が着水したことを容易に確認できる。
【図面の簡単な説明】
【００３７】
【図１】本発明の一実施形態による水質計着水確認装置の構成を示す斜視図である。
【図２】前記実施形態による水質計着水確認装置の構成を示す正面図である。
【図３】前記実施形態による水質計着水確認装置の構成を示す図であり、図３（Ａ）は、水質計着水確認装置の縦断面図、図３（Ｂ）は、水質計着水確認装置の平面図である。
【図４】前記実施形態による水質計着水確認装置に備わる支持装置の構成を示す図であり、図４（Ａ）は、支持装置の正面図、図４（Ｂ）は、支持装置の右側面図、図４（Ｃ）は、支持装置の左側面図である。
【図５】従来技術による水質測定装置の構成を示す側面図であり、円筒状のホルダの下端部にセンサモジュールを配置した状態図である。
【図６】従来技術による水質測定装置の構成を示す側面図であり、円筒状のホルダからセンサモジュールを引き上げた状態図である。
【図７】従来技術による水質測定装置の構成を示す側面図であり、円筒状のホルダから引き上げたセンサモジュールを地上側に旋回した状態図である。
【図８】従来技術による水質測定装置の構成を示す縦断面図であり、水質測定装置に備わるセンサモジュール及び円筒状のホルダの拡大図である。
【発明を実施するための形態】
【００３８】
以下、図面を参照して本発明を実施するための形態を説明する。
【００３９】
［水質計着水確認装置の構成］
（全体構成）
最初に、本発明の一実施形態による水質計着水確認装置の全体構成を説明する。図１から図３を参照すると、本発明の一実施形態による水質計着水確認装置（以下、確認装置と略称する）１０は、地上から遠方の水面Ｗｆに向かって、長尺のケーブルＣｂを接続した水質計Ｍｗを垂下し、水質計Ｍｗが着水したことを確認できる。
【００４０】
図１から図４を参照すると、確認装置１０は、ペリスコープ（潜望鏡）１、支持装置２、及び、巻回装置３を備えている。ペリスコープ１は、接眼鏡筒１１と対物鏡筒１２を備えている。ペリスコープ１は、接眼鏡筒１１に対して対物鏡筒１２を屈曲している。
【００４１】
図１から図３を参照すると、接眼鏡筒１１は、接眼窓１１ｗを一端部に設けている。対物鏡筒１２は、対物窓１２ｗを他端部に設けている。図３を参照すると、ペリスコープ１は、第１反射鏡Ｍ１と第２反射鏡Ｍ２を内部に配置している。ペリスコープ１は、対物窓１２ｗからの光路Ｌｐを９０度２回反射して、接眼窓１１ｗから対物窓１２ｗの像を確認できる。つまり、ペリスコープ１は、接眼窓１１ｗから水質計Ｍｗを確認できる。
【００４２】
図１から図４を参照すると、支持装置２は、対物鏡筒１２の他端部が水面Ｗｆに向かって配置可能に、接眼鏡筒１１を略水平状態に地上で支持できる。実施の形態では、支持装置２は、橋Ｂｇの端部に設置した欄干などの柵状物Ｆを挟持すると共に、接眼鏡筒１１を着脱自在に支持している。
【００４３】
図１から図３を参照すると、巻回装置３は、対物鏡筒１２の外面に沿って、水質計Ｍｗを昇降自在に、ケーブルＣｂを巻回できる。図３を参照すると、対物鏡筒１２は、水面Ｗｆに向かって伸縮自在な、外径の異なる複数のテレスコピック筒１２１・１２２・１２３で構成している。
【００４４】
図１から図４を参照すると、実施形態による確認装置１０は、接眼窓１１ｗから水質計Ｍｗを確認できるペリスコープ１、対物鏡筒１２の他端部が水面Ｗｆに向かって配置可能に、接眼鏡筒１１を略水平状態に地上で支持する支持装置２、及び、対物鏡筒１２の外面に沿って、水質計Ｍｗを昇降自在に、ケーブルＣｂを巻回する巻回装置３を備え、対物鏡筒１２は、水面Ｗｆに向かって伸縮自在な、外径の異なる複数のテレスコピック筒１２１・１２２・１２３で構成しているので、接眼窓１１ｗから水質計Ｍｗが着水したことを容易に確認できる。
【００４５】
（水質計の構成）
次に、実施形態による水質計Ｍｗの構成を説明する。図１から図３を参照すると、水質計Ｍｗは、実質的に、図８に示したセンサモジュール９１に相当している。水質計Ｍｗは、多項目水質計からなることが好ましく、水質計Ｍｗを水面Ｗｆに浸漬することで、河川又は湖沼などの水質を多項目にわたり測定できる。
【００４６】
図１から図３を参照すると、ケーブルＣｂは、その遠端に、図示しない測定器を電気的に接続している。そして、図示しない測定器は、ケーブルＣｂを介して、水質計Ｍｗに測定の開始を指示でき、水質計Ｍｗから測定結果などのデータを受信できる。
【００４７】
（ペリスコープの構成）
次に、実施形態によるペリスコープ１の構成を説明する。図１から図３を参照すると、対物鏡筒１２は、一組の円筒状のベローズ部材１２ｂ・１２ｂを備えている。一組のベローズ部材１２ｂ・１２ｂは、複数のテレスコピック筒１２１・１２２・１２３の外周を囲っている。
【００４８】
又、図１から図３を参照すると、対物鏡筒１２は、第１筒枠１２ｓ、第２筒枠１２ｔ、及び、鏡筒枠１２ｍを更に備えている。第１筒枠１２ｓは、テレスコピック筒１２１の先端部側に固定されている。第２筒枠１２ｔは、テレスコピック筒１２２の先端部側に固定されている。鏡筒枠１２ｍは、テレスコピック筒１２３の先端部に固定されている。
【００４９】
図３を参照すると、一方のベローズ部材１２ｂは、第１筒枠１２ｓと第２筒枠１２ｔの間に介在されている。一方のベローズ部材１２ｂは、テレスコピック筒１２１に対して、テレスコピック筒１２１が軸方向に延びる方向に力を付勢している。又、他方のベローズ部材１２ｂは、第２筒枠１２ｔと鏡筒枠１２ｍの間に介在されている。他方のベローズ部材１２ｂは、テレスコピック筒１２２に対して、テレスコピック筒１２３が軸方向に延びる方向に力を付勢している。
【００５０】
このように、図３を参照すると、一組のベローズ部材１２ｂ・１２ｂは、複数のテレスコピック筒１２１・１２２・１２３が延びる方向に力を付勢している。なお、ベローズ部材１２ｂには、図示しない圧縮コイルばねを肉厚部に包含しておくことが好ましい。
【００５１】
図３を参照すると、鏡筒枠１２ｍは、第２反射鏡Ｍ２を内部に配置している。第２反射鏡Ｍ２が浸水しないように、対物窓１２ｗを透明なガラス板で防水することが好ましい。又、第２反射鏡Ｍ２が浸水しないように、テレスコピック筒１２３と鏡筒枠１２ｍの隙間を防水することが好ましい。
【００５２】
図１から図３を参照すると、ペリスコープ１は、ヒンジ部１ｈと施錠部１ｒを備えている。ヒンジ部１ｈは、対物鏡筒１２に対して、接眼鏡筒１１を回動自在に連結している。施錠部１ｒは、対物鏡筒１２に対して、接眼鏡筒１１が直交した状態を維持できる。
【００５３】
図１から図３を参照すると、接眼鏡筒１１は、二山クレビス形の第１支持部１１ｈを他方の端部に有している。対物鏡筒１２は、一山クレビス形の第２支持部１２ｈを一方の端部に有している。第１支持部１１ｈ及び第２支持部１２ｈに貫通した貫通穴に連結ピンを挿入することで、ヒンジ部１ｈは、対物鏡筒１２に対して、接眼鏡筒１１を回動自在に連結している。
【００５４】
図１から図３を参照すると、接眼鏡筒１１は、二山クレビス形の第３支持部１１ｒを他方の端部に有している。対物鏡筒１２は、一山クレビス形の第４支持部１２ｒを一方の端部に有している。第３支持部１１ｒ及び第４支持部１２ｒに貫通した貫通穴に連結ピンを挿入することで、施錠部１ｒは、対物鏡筒１２に対して、接眼鏡筒１１が直交した状態を維持できる。
【００５５】
図３を参照すると、施錠部１ｒから連結ピンを取り外すと、対物鏡筒１２に対して、接眼鏡筒１１を時計方向に回動できる。対物鏡筒１２に対して、接眼鏡筒１１を時計方向に２７０度回動することで、対物鏡筒１２に対して、接眼鏡筒１１を折り畳むことができる。これにより、ペリスコープ１の外形を縮小した状態で搬送できる。
【００５６】
なお、図３を参照すると、対物鏡筒１２に対して、接眼鏡筒１１を折り畳んだ状態で、対物鏡筒１２の開口面から、第１反射鏡Ｍ１が突出しないように、第１反射鏡Ｍ１を対物鏡筒１２の内部に回動自在に配置している。
【００５７】
（巻回装置の構成）
次に、実施形態による巻回装置３の構成を説明する。図１から図３を参照すると、巻回装置３は、一つ以上の案内部材３ｇ、固定滑車３ｐ、及び、巻回ドラム３ｄを含んでいる。案内部材３ｇは、四つのリンク部材の両端部を相互に回動自在に連結したパンタグラフ構造を採用している。そして、四つのリンク部材を開いた状態では、案内部材３ｇは、水質計Ｍｗを内部に挿通できる。
【００５８】
図１から図３を参照すると、確認装置１０は、三つの案内部材３ｇを対物鏡筒１２の軸方向に沿って配置している。これにより、水質計Ｍｗが対物鏡筒１２から離間することなく、水質計Ｍｗを対物鏡筒１２の軸方向に沿って移動できる。
【００５９】
図１から図３を参照すると、固定滑車３ｐは、接眼鏡筒１１の直下に配置されている。又、固定滑車３ｐは、その回転軸が接眼鏡筒１１の外周に片持ち支持されている。固定滑車３ｐは、巻回ドラム３ｄから繰り出されたケーブルＣｂを三つの案内部材３ｇの内部に向かって方向変換している。
【００６０】
図１から図３を参照すると、巻回ドラム３ｄは、接眼鏡筒１１の直下に配置されている。巻回ドラム３ｄは、ケーブルＣｂを巻回している。又、巻回ドラム３ｄは、グリップ３Ｇｐを回転自在に取り付けている。グリップ３Ｇｐを把持して、巻回ドラム３ｄを手動で回転できる。
【００６１】
図１から図３を参照して、巻回ドラム３ｄを一方の方向に回転すると、固定滑車３ｐを介して、水質計Ｍｗを垂下できる。巻回ドラム３ｄを他方の方向に回転すると、固定滑車３ｐを介して、水質計Ｍｗを引き上げることができる。このように、巻回装置３は、巻回ドラム３ｄを操作することで、水質計Ｍｗを鉛直方向に昇降できる。
【００６２】
（巻き上げ装置の構成）
次に、実施形態による確認装置１０に備わる巻き上げ装置４の構成を説明する。図１又は図２及び図３（Ｂ）を参照すると、巻き上げ装置４は、頭部をリングで構成した複数のアイボルト４ｂ、ワイヤ部材４ｗ、及び、巻き上げドラム４ｄを含んでいる。
【００６３】
図１又は図２及び図３（Ｂ）を参照すると、複数のアイボルト４ｂは、対物鏡筒１２の外周に固定されている。これらのアイボルト４ｂは、対物鏡筒１２の軸方向に沿って一列に配置されている。一部のアイボルト４ｂは、接眼鏡筒１１の外周に固定されている。
【００６４】
図１又は図２及び図３（Ｂ）を参照すると、ワイヤ部材４ｗの一端部は、鏡筒枠１２ｍに固定したアイボルト４ｂに係留されている。ワイヤ部材４ｗの他端部側は、巻き上げドラム４ｄに巻回されている。ワイヤ部材４ｗの中間部は、複数のアイボルト４ｂの頭部に挿通されている。
【００６５】
図１又は図２及び図３（Ｂ）を参照すると、巻き上げドラム４ｄは、接眼鏡筒１１の外周に配置されている。巻き上げドラム４ｄは、その回転軸が接眼鏡筒１１の外周に片持ち支持されている。又、巻き上げドラム４ｄは、グリップ４Ｇｐを回転自在に取り付けている。グリップ４Ｇｐを把持して、巻き上げドラム４ｄを手動で回転できる。
【００６６】
図１から図３を参照して、巻き上げドラム４ｄを一方の方向に回転すると、一組のベローズ部材１２ｂ・１２ｂの付勢力に抗して、複数のテレスコピック筒１２１・１２２・１２３を収縮できる。
【００６７】
図１又は図２及び図３（Ｂ）を参照すると、巻き上げドラム４ｄは、ラチェットギアとラチェット爪で構成したラチェット機構４ｒを基端部に備えている。巻き上げドラム４ｄを一方の方向に回転すると、ラチェットギアにラチェット爪が噛み合うことで、巻き上げドラム４ｄが他方の方向に回転することを阻止できる。ラチェットギアからラチェット爪を解除すると、巻き上げドラム４ｄが他方の方向に回転することを許容できる。
【００６８】
図１から図３を参照すると、このように、巻き上げ装置４は、巻き上げドラム４ｄを操作することで、複数のテレスコピック筒１２１・１２２・１２３の伸縮量を調整できる。
【００６９】
（支持装置の構成）
次に、実施形態による支持装置２の構成を説明する。図４を参照すると、支持装置２は、取り付け台２１と筒受け本体２２を備えている。取り付け台２１は、橋Ｂｇなどに設置した欄干などの柵状物Ｆに着脱自在に固定できる（図１から図３参照）。筒受け本体２２は、取り付け台２１の上面から立設し、接眼鏡筒１１を着脱自在に固定できる。
【００７０】
図４を参照すると、取り付け台２１は、矩形の取り付け板２１１、固定側挟持板２１２、及び、一対の角棒状の可動側挟持部材２１３・２１３を備えている。筒受け本体２２は、ポール部材２２ｐと円弧部材２２ｓで構成している。ポール部材２２ｐの基端部は、取り付け板２１１の中央部に固定されている。ポール部材２２ｐの先端部には、円弧部材２２ｓを固定している。
【００７１】
図４を参照すると、円弧部材２２ｓには、接眼鏡筒１１を外周方向から導入できる。接眼鏡筒１１の外周に円弧部材２２ｓが当接した状態で、図示しないねじ部材を用いて、接眼鏡筒１１を円弧部材２２ｓに固定できる。
【００７２】
図４を参照すると、固定側挟持板２１２は、取り付け板２１１の一端部側に下垂した状態で固定されている。固定側挟持板２１２は、両端部を折り曲げた一対の折り曲げ片を有している。これらの折り曲げ片には、円柱状のステイ２１ｓを架橋している。ステイ２１ｓには、一方の面の歯面を形成した一対の噛み合い板２１ｇ・２１ｇを回動自在に連結している。一対の噛み合い板２１ｇ・２１ｇは、柵状物Ｆの一方の面に当接できる。
【００７３】
図４を参照すると、支持装置２は、一対のガイドロッド２１４・２１４を更に備えている。ガイドロッド２１４は、その一端部側が取り付け板２１１の下面に溶接などで固定されている。又、ガイドロッド２１４は、その他端部側が取り付け板２１１の他端部から突出している。取り付け板２１１の他端部から突出したガイドロッド２１４の部位には、螺旋溝を形成している。
【００７４】
図４を参照すると、可動側挟持部材２１３は、ガイドロッド２１４を挿通自在なガイド穴を上部に開口している。可動側挟持部材２１３は、ガイドロッド２１４に案内されて移動できる。又、可動側挟持部材２１３は、Ｌ字状に形成したストッパー板２１５を上面に固定している。ストッパー板２１５は、ガイドロッド２１４の螺旋溝に噛み合う長穴を他端部に開口している。
【００７５】
図４を参照すると、ストッパー板２１５の他端部と可動側挟持部材２１３の間には、圧縮コイルばねｓ１を配置している。圧縮コイルばねｓ１の付勢力に抗して、ストッパー板２１５の他端部を可動側挟持部材２１３に近づけると、ガイドロッド２１４の螺旋溝とストッパー板２１５の噛み合いを解除でき、可動側挟持部材２１３をガイドロッド２１４に沿って移動できる。ストッパー板２１５を解放すると、ガイドロッド２１４の螺旋溝とストッパー板２１５の噛み合い状態に復帰できる。
【００７６】
図４を参照すると、可動側挟持部材２１３は、締め付けボルト２３を下部に備えている。締め付けボルト２３は、そのねじ部が可動側挟持部材２１３と螺合している。締め付けボルト２３は、ノブ２３ａを基端部に有し、回転円盤２３ｂを先端部に有している。
【００７７】
図４を参照して、ノブ２３ａを把持して、締め付けボルト２３を一方の方向に回転すると、回転円盤２３ｂを柵状物Ｆの他方の面に向かって移動できる。これにより、締め付けボルト２３と噛み合い板２１ｇで柵状物Ｆを挟持できる。一方、ノブ２３ａを把持して、締め付けボルト２３を他方の方向に回転すると、回転円盤２３ｂを柵状物Ｆから後退でき、支持装置２を柵状物Ｆから取り外すことができる。
【００７８】
図４を参照すると、このように、支持装置２は、地上に設置した柵状物Ｆに着脱自在に締め付けできる締め付け装置を備えている。
【００７９】
［水質計着水確認装置の作用］
次に、実施形態による確認装置１０の操作方法を説明しながら、確認装置１０の作用及び効果を説明する。
【００８０】
最初に、図１から図３を参照して、支持装置２を柵状物Ｆに固定する。次に、確認装置１０を支持装置２に取り付ける。この場合、水質計Ｍｗを複数の案内部材３ｇに挿通しておくことが好ましい。なお、確認装置１０に支持装置２に取り付けた後に、支持装置２を柵状物Ｆに固定してもよい。
【００８１】
次に、図１から図３を参照して、巻き上げドラム４ｄを操作して、鏡筒枠１２ｍを水面Ｗｆに向かって移動する。この場合、対物窓１２ｗが水面Ｗｆから僅かに水没することが好ましく（図３参照）、この状況を接眼窓１１ｗから確認できる。
【００８２】
次に、図１から図３を参照して、巻回ドラム３ｄを操作して、水質計Ｍｗを水面Ｗｆに向かって降下する。この過程では、水質計Ｍｗが水面Ｗｆに着水したことを接眼窓１１ｗから確認できる。水質計Ｍｗが水面Ｗｆに着水したことを確認したら、水深「０（零）」点での水質の測定を開始する。
【００８３】
図１から図３を参照すると、実施形態による確認装置１０は、接眼鏡筒１１と直交配置した対物鏡筒１２で構成したペリスコープ１を備えているので、接眼窓１１ｗから水質計Ｍｗが着水したことを容易に確認できる。
【００８４】
図１から図３を参照すると、実施形態による確認装置１０は、対物鏡筒１２の外面に沿って、水質計Ｍｗを昇降自在に、ケーブルＣｂを巻回する巻回装置３を備えているので、ケーブルＣｂが欄干などの柵状物Ｆに干渉することなく、ケーブルＣｂを保護できる。
【００８５】
図１から図３を参照すると、実施形態による確認装置１０は、対物鏡筒１２に対して、接眼鏡筒１１を折り畳み自在に連結しているペリスコープ１を備えているので、搬送が容易であるという効果がある。
【符号の説明】
【００８６】
１  ペリスコープ
２  支持装置
３  巻回装置
１０  確認装置（水質計着水確認装置）
１１  接眼鏡筒
１１ｗ  接眼窓
１２  対物鏡筒
１２ｗ  対物窓
１２１・１２２・１２３  テレスコピック筒
Ｃｂ  ケーブル
Ｍｗ  水質計
Ｗｆ  水面
【図１】
2020134482.tif 000003
【図２】
2020134482.tif 000004
【図３】
2020134482.tif 000005
【図４】
2020134482.tif 000006
【図５】
2020134482.tif 000007
【図６】
2020134482.tif 000008
【図７】
2020134482.tif 000009
【図８】
2020134482.tif 000010